(57)【要約】【課題】  携帯ライトやペンライトとしてだけでなく、多用途に使用することができる懐中電灯であって屈曲作動部のロックないしロックの解除をカバー体の摺動で行うことができるようにした照明角度を変位可能な懐中電灯に関する。【解決手段】  この発明の照明角度を変位可能な懐中電灯は、基台部と、照明部と、前記基台部と照明部との間に介設されて照明部の照明角度を上下方向に変位可能な屈曲作動部と、前記基台部に外側から嵌合して重なる使用位置と、屈曲作動部に外嵌して基台部と照明部との間に掛け渡されるロック位置とに摺動可能に取り付けられたカバー体とからなることを特徴とする。【選択図】図１
2006190661.tif 000002
【特許請求の範囲】
【請求項１】
基台部と、照明部と、前記基台部と照明部との間に介設されて照明部の照明角度を上下方向に変位可能な屈曲作動部と、前記基台部に外側から嵌合して重なる使用位置と、屈曲作動部に外嵌して基台部と照明部との間に掛け渡されるロック位置とに摺動可能に取り付けられたカバー体とからなる照明角度を変位可能な懐中電灯。
【請求項２】
クリップがカバー体に取り付けられていることを特徴とする請求項１に記載の照明角度を変位可能な懐中電灯。
【請求項３】
照明部が、先端に発光部を保持し、該発光部に供電する小型電池を収納すると共に、小型電池と発光部との接続回路を開閉するスイッチ部を有していることを特徴とする請求項１に記載の照明角度を変位可能な懐中電灯。
【請求項４】
照明部が発光部を保持しており、基台部に電池を収納しており、該電池と発光部との間を配線等の接続回路で接続し、前記接続回路を開閉するスイッチ部を有していることを特徴とする請求項１に記載の照明角度を変位可能な懐中電灯。
【請求項５】
関節部が、基台部の先端から前方へ突出する後方アームと、照明部の後端から後方へ前方アームと、前記後方アームと前方アームとの間に設けられて、前方アームを後方アームに対して略反対方向に変位させる屈曲作動部とからなっていることを特徴とする請求項１に記載の照明角度を変位可能な懐中電灯。
【請求項６】
基台部と、照明部と、前記基台部と照明部との間に介設されて照明部の照明角度を上下方向に変位可能な屈曲作動部と、前記基台部に外側から嵌合しまたは内側に嵌合して重なる使用位置と、屈曲作動部に外嵌して基台部と照明部との間に掛け渡されるロック位置とに摺動可能に取り付けられたカバー体とからなる照明角度を変位可能な懐中電灯。
【請求項７】
クリップが基台部に取り付けられていることを特徴とする請求項６に記載の照明角度を変位可能な懐中電灯。
【請求項８】
基台部が筒体からなって、複数段のテレスコープ型の伸縮アームを有しており、該伸縮アームは下端に台盤部を有しており、短縮時に基台部内に収納され、使用時には基台部から外方へ伸張しうることを特徴とする請求項６に記載の照明角度を変位可能な懐中電灯。
【請求項９】
基台部の下端または基台部から下方へ伸びる伸縮アームの下端の台盤部が磁性金属からなる磁石部となっていることを特徴とする請求項８に記載の照明角度を変位可能な懐中電灯。
【請求項１０】
照明部の外周の中途位置に取付部が設けられており、
該取付部に着脱可能なアタッチメント部と、該アタッチメント部に固定されて先端にミラーを有するアーム部とを有する点検ミラーを備えてなることを特徴とする請求項１または６に記載の照明角度を変位可能な懐中電灯。
【請求項１１】
屈曲作動部がアーム状の可撓性部材からなっていることを特徴とする請求項１に記載の懐中電灯。
【請求項１２】
基台部の下部に、基台部の軸線に対して略直角方向に突出するタイヤ溝測定ゲージを設けてなることを特徴とする請求項１に記載の懐中電灯。
【請求項１３】
伸縮アームの下端の台盤部に、伸縮アームの軸線に対して略直角方向に突出するタイヤ溝測定ゲージを設けてなることを特徴とする請求項９に記載の懐中電灯。
【発明の詳細な説明】
【技術分野】
【０００１】
本発明は、携帯ライトやペンライトとしてだけでなく、多用途に使用することができる照明角度を変位可能な懐中電灯に関するものである。
【背景技術】
【０００２】
従来より、ライト本体の基端側に関節部（ジョイント部）を設け、照明部の角度を変更することができる懐中電灯として、種々構成のものが提案されている。
例えば、照明部の基端側に軸部を介して球体を設け、他方に球体を受け留める球面軸受部を設けたクリップで留めて固定し、照明部を種々の方向に変位できるものや、クリップに変えて磁石で磁性体に固定し、照明角度を変更できるものなどが提案されている。
【０００３】
しかし、これら従来の懐中電灯では関節部を固定できる構造となっていないため、外から力が加わると不用意に関節部が屈曲して照射角度が変わってしまう。
そのため、懐中電灯として同一方向を照明するには、間接部を押さえて動かないようにしながら使用する必要があり繁雑であると共に、また関節部が外部に露出しているため携帯しづらいという問題点もあった。
【特許文献１】特開２００４−１１１３７５号
【発明の開示】
【発明が解決しようとする課題】
【０００４】
本発明は上記問題点を解決するために創案されたされたものであって、その主たる課題は、関節部が不用意に屈曲することがないようにロックすることができると共に、関節部を用いて照明部の照明角度を広げることで、広い用途に対応することができる照明角度を変位可能な懐中電灯を提供することにある。
【課題を解決するための手段】
【０００５】
この発明は、上記課題を解決するために、関節部の屈曲角度を大きくすると共に、関節部が屈曲しない姿勢をロックないしロック解除することができるカバー体を設けることを最も主要な特徴とする。
そして請求項１の発明では、
基台部と、照明部と、前記基台部と照明部との間に介設されて照明部の照明角度を上下方向に変位可能な屈曲作動部と、前記基台部に外側から嵌合して重なる使用位置と、屈曲作動部に外嵌して基台部と照明部との間に掛け渡されるロック位置とに摺動可能に取り付けられたカバー体とからなることを特徴とする。
また、請求項２の発明では、
前記クリップがカバー体に取り付けられていることを特徴とする。
請求項３の発明では、
前記照明部が、先端に発光部を保持し、該発光部に供電する小型電池を収納すると共に、小型電池と発光部との接続回路を開閉するスイッチ部を有していることを特徴とする。
請求項４の発明では、
前記照明部が発光部を保持しており、基台部に電池を収納しており、該電池と発光部との間を配線等の接続回路で接続し、前記接続回路を開閉するスイッチ部を有していることを特徴とする請求項１に記載の照明角度を変位可能な懐中電灯。
請求項５の発明では、
前記関節部が、基台部の先端から前方へ突出する後方アームと、照明部の後端から後方へ前方アームと、前記後方アームと前方アームとの間に設けられて、前方アームを後方アームに対して略反対方向に変位させる屈曲作動部とからなっていることを特徴とする。
請求項６の発明では、
前記基台部と、照明部と、前記基台部と照明部との間に介設されて照明部の照明角度を上下方向に変位可能な屈曲作動部と、前記基台部に外側から嵌合しまたは内側に嵌合して重なる使用位置と、屈曲作動部に外嵌して基台部と照明部との間に掛け渡されるロック位置とに摺動可能に取り付けられたカバー体とからなることを特徴とする。
また、請求項７の発明では、
前記クリップが基台部に取り付けられていることを特徴とする。
請求項８の発明では、
前記基台部が筒体からなって、複数段のテレスコープ型の伸縮アームを有しており、該伸縮アームは下端に台盤部を有しており、短縮時に基台部内に収納され、使用時には基台部から外方へ伸張しうることを特徴とする。
また、請求項９の発明では、
前記基台部の下端または基台部から下方へ伸びる伸縮アームの下端の台盤部が磁性金属からなる磁石部となっていることを特徴とする。
更に、請求項１０の発明では、
前記照明部の外周の中途位置に取付部が設けられており、
該取付部に着脱可能なアタッチメント部と、該アタッチメント部に固定されて先端にミラーを有するアーム部とを有する点検ミラーを備えてなることを特徴とする。
請求項１１の発明では、
前記屈曲作動部がアーム状の可撓性部材からなっていることを特徴とする。
また、請求項１２の発明では、
前記基台部の下部に、基台部の軸線に対して略直角方向に突出するタイヤ溝測定ゲージを設けてなることを特徴とする。
更に、請求項１３の発明では、
前記伸縮アームの下端の磁石部に、伸縮アームの軸線に対して略直角方向に突出するタイヤ溝測定ゲージを設けてなることを特徴とする。
【発明の効果】
【０００６】
この発明の懐中電灯は、懐中電灯の延長線上を照明する場合には、基台部と照明部とをカバー体で連結し、関節部を覆うことで関節部が屈曲しないようにロックするので、直線状に延びる懐中電灯の延長線上を照明することができる。
また、照明角度を変えたい場合には、前記カバー体を関節部から外して基台部に嵌め込み、関節部のロックを解除し、関節部を所望角度に変位して、照明角度を変えた照明を行うことができる。
カバー体または基台部にクリップを設けておけば、懐中電灯をポケットに収納しクリップで掛け止めることができ、屈曲作動部の角度を変えることで、例えば、懐中電灯を上向きに支持した状態で下方向を照明することもできる。
また、基台部の下端に磁石を設けたり、伸縮アームを取り付けるなどの構成としてもよい。
このように懐中電灯でありながら照明角度を変えることができるので、多用途に用いることができる。
【発明を実施するための最良の形態】
【０００７】
以下にこの発明の照明角度を変位可能な懐中電灯の好適実施例について図面を参照しながら説明する。
【実施例１】
【０００８】
図１は、この発明の実施例を示す側面図であって、懐中電灯１は、基台部２と、照明部４と、前記基台部２と照明部４との間に介設されて照明部４の照明角度を上下方向に変位可能な屈曲作動部３と、前記基台部２に外側から嵌合して重なる使用位置と、屈曲作動部３に外嵌して基台部２と照明部４との間に掛け渡されるロック位置とに摺動可能に取り付けられたカバー体５とからなっている。
【０００９】
［基台部］
基台部２は筒体からなっており、下端に磁石部１１が固着されている。
この磁石部１１は、台部に永久磁石を埋設した構成からなっており、懐中電灯１を照明部４を上にして起立した際に、これを表面が扁平な磁性体からなる物体上で保持することができる磁力を有している。
ここで基台部２を中空体とし、蓋部を設けて開閉可能とし、後述の発光体や電池の予備を収納しうるようにしてもよい。
【００１０】
［照明部］
照明部４は、屈曲作動部３を介して基台部２の延長上に設定されている。
この照明部４は、小型電池４１の一例を示すボタン電池を収納する電池収納部４Ａと、前記小型電池４１から給電される発光部４２の一例を示す白色ＬＥＤを保持し、前記電池収納部４Ａに分離可能に連結される発光保持部４Ｂとからなっている。
【００１１】
ここで、電池収納部４Ａは先端が開放された筒状からなっており、図示しないが先端側の外周にねじ部刻設されている。
一方、発光保持部４Ｂは先端に白色ＬＥＤを固定しており、その後方に小型電池４１と接続する回路の両極を有している。
即ち、小型電池４１の一方の極と接するためのスプリング状の導体６Ａを後方へ突出し  おり、また電池収納部４Ａの底部に設けられた突起状の導体（図示せず）が小型電池４１の他方の極と接し、発光保持部４Ｂを通って白色ＬＥＤの他方の極と接続されている。
【００１２】
本実施例では発光保持部４Ｂの基端内周に、前記電池収納部４Ａのねじ部と螺合するねじ部が刻設されており、発光保持部４Ｂを回転してねじ部を緩めることで複数直列した小型電池４１への押圧力を緩めて回路を開放し、発光保持部４Ｂを逆に回転してねじ部を締めることで小型電池４１への押圧力を強めて回路を閉成する公知構成からなっているが、この発明でのスイッチ構成は、スライド式やプッシュ式、その他の公知構成を適宜使用しうること勿論である。
【００１３】
［屈曲作動部］
屈曲作動部３は、図２で例示するように、基台部２の先端に、先端に球体３２を有する第１アーム３１と、照明部４の基端で、先端に球体３３を有する第２アーム３４とが一体に突設されている。
また、上記球体３２、３３を受ける球面状の凹部を備えた一対のジョイントプレート３５、３５が設けられている。
【００１４】
上記凹部は左右が組み合わされて１つの球体を両側から支承する球面軸受部となり、一対のジョイントプレート３５、３５の両端に２つの球面軸受部３７、３８が形成される。
このように一対のジョイントプレート３５を対向するように整合して上記球体３２と３３を両面で挟んで球面軸受部３７と３８で軸受けし、ネジ（蝶ネジでもよい）などの固定具３６で一対のジョイントプレート３５を締め付け固定する構成からなっている。
ネジを用いる場合は上記締付力の微調整が可能となる。
【００１５】
これにより、上記２つの球体３２、３３がそれぞれ球面軸受された離間する２つの屈曲点となって伸縮アーム部２と照明部３とを各自回転または枢動させることができ、自在に変位可能としている。
なお、前記固定具（ねじ）３６の締め付け力で上記回転や照射角度の維持が可能となる。
【００１６】
また上記構成では球面軸受部を一対のジョイントプレートの組合せで構成したが、球面軸受部を独立した１つの構成とし、この２つの軸受部相互を一体に固定する構成でもよい。
例えば、図示しないが、略筒状とし第１アーム３１または第２アーム３４を通すスリットを形成し、内周部を球面状の凹部および球面を受けるリテーナとし、必要に応じて球体を外側へ押しつけるスプリングを内蔵した公知の球面軸受部としてもよい（特開２００４−１１１３７５参照）。
【００１７】
また上記実施例では第１アームまたは第２アームの先端に球体を一体に設けた場合を例示したが、球体に代えて球面軸受部を設ける構成でもよい。
この場合は一対の球体をアームなどで一体に繋げて離間した２つの屈曲点とする構成であればよい。
また、屈曲作動部は、基台部２と照明部４との間を、フレキシブルアーム３”などの可撓性部材で連結する構造であってもよい。図１５（ａ）は、後述の実施例５の懐中電灯１の屈曲作動部として可撓性部材３”を用いた例である
この場合、図１５（ｂ）に示すように基台部２を電池収納部４Ａと兼用させて電池（小型電池でもよいが図示例では小型の乾電池）を収納する構造とし、照明部４は発光部４２を保持する発光保持部４Ｂのみとした構成でもよく、前記電池と発光部４２との間を接続する配線回路Ｃはフレキシブルアーム内に内蔵する構成であってもよい。
その場合、図１５（ａ）は、後述の実施例である図６や図７に示すように、基台部に伸縮アームを内蔵して磁石部を伸ばせる構成としてもよい。
その他、公知の構成を用いることができる。
【００１８】
［カバー体］
カバー体５は、前後に開口する筒体であって、前記基台部２に外側から嵌合しうる径で、屈曲作動部３の全長を覆って基台部２と照明部４との間に掛け渡される長さに設定されている。
そして、カバー体５は、本実施例では、基台部２に外嵌する使用位置と、屈曲作動部を覆うように基台部と照明部との間に掛け渡されるロック位置とに摺動可能に取り付けられている。
【００１９】
このカバー体５の使用位置とロック位置とでそれぞれカバー体５が動かないように基台部２ないし照明部４に係止する係止構造を設けておくことが好ましい。
例えば、照明部４の基端側に突部６ａ（突起または環状突部など）を設けておき、カバー体５の先端側には上記突部６ａに対応する凹部７ａを設けてカバー体５がロック位置にあるときの係止構造とする（図２参照）。
【００２０】
また、基台部２の基端側に突部６ｂを設けておき、カバー体５の基端側には上記突部６ｂに対応する凹部７ｂを設けてカバー体５が使用位置にあるときの係合構造とする。
これにより、カバー体５はロック位置と使用位置のいずれにあっても不用意に摺動することがない。
このカバー体５にはクリップ８が取り付けられている。
このクリップ８はカバー体５に一体的に固設されたものであると、スリットを有する弾性バンドを有してカバー体５に着脱可能に緊締して取り付けられる構成であってもよい。
【００２１】
上記構成からなっているので、懐中電灯１は、スライド式のカバー体５を、伸長し、照明部４の基端部に係止した状態を示しており、カバー体５を介して照明部４を基台部２の延長上に連結することができる。
これにより、カバー体５の拘束で屈曲作動部３は屈曲できなくなり、照明部４の角度を固定して維持するので、不意に照明角度が変わるような虞れが無く、通常の懐中電灯と同様に本体の延長線上を照明することができる。
【００２２】
また、上記カバー体５を基台部２の外側に重なる使用位置までスライドさせると、カバー体５による基台部２と照明部４との連結は解除され、屈曲作動部３も拘束されなくなるので照明部４は屈曲作動部３の屈曲により任意の方向に照明角度を変えることができるようになり、種々の用途に使用できる。
【００２３】
一例を挙げると、自動車機械の整備点検に磁着できる首振りライトとして使用できる。
また、夜間の宅配業務にメモライトで手元灯として使用できる。
また、タクシーの乗務員用に メモライトや、磁着ライトとして使用できる。
更に、看護士の夜間巡回用にナースライトとして使用できる。
また、車の中で、多目的照明具に、マイカーや配達用の簡易照明具として使用できる。
また、家庭内の多目的ライトに、首振りライト、ポケットライトとして使用できる。
上記の使用例は一例であり、この発明の使用法はこれらに限られるものではない。
【００２４】
図３は、ポケットＰに入れた懐中電灯１をクリップ８でポケットＰの表面側の片に掛け止め、照明部４の照明角度を自在に変化させる状態を示している。
ここで、カバー体５の位置を変えるには、ポケットＰに差した状態でクリップ８を持って固定し、照明部４を持って上方に引き上げれば、基台部２も屈曲作動部３を介して一体的に押し上げられてカバー体５内に収納される。
このように、カバー体５を固定した状態で、即時に使用位置に変えることができ、屈曲作動部３の拘束を解いて照明部４の照明角度を自在に変えることができる懐中電灯１となる。  これにより、照射目的とする個所を確実に照らしながら、記録やメモを書いたり、両手を使って各種の作業ができる。
【００２５】
また、ポケットにクリップ留めしたまま、クリップ８を介してカバー体５を固定し、照明部４をまっすぐにして下方向に押せば、基台部２も連動して下方向にスライドし、カバー体５が屈曲作動部３を覆い基台部２と照明部３に掛け渡されるロック位置に変わるので、照明角度が固定された状態となる。
【００２６】
更に、基台部２の後部に設けた磁石部１１を使用すれば、車のボディーやボンネット、或いはトランクルームの内側に、磁着して照射角度を自在に変えられる。
手元灯や、首を振るキャンドルライトとして多目的に使用できる。
【実施例２】
【００２７】
図４に示す懐中電灯１は、基台部２’が先端側を開口し、カバー体５’収納用の中空部または環状中空部を有しており、カバー体５’が、基台部２の前記中空部または環状中空部内にカバー体５’が嵌合して屈曲作動部３を露出させる使用位置と、基台部２’からカバー体５’を突出させて基台部２’と照明部４との間に掛け渡すロック位置とに摺動可能に取り付けられている。
【００２８】
この場合、第１アーム３１’は基台部２’の中途位置まで延びて基台部２’に固定されている。
その他の構成は前記実施例と同様であるので同一構成には同一符号を付してその説明を省略する。
【実施例３】
【００２９】
前記実施例の懐中電灯１では、屈曲作動部３が、離間した２つの屈曲点を有する構成であるので、照明部４をいずれの方向にも屈曲することができる。
この発明では上記実施例に限定されず、屈曲点は１つであってもよい。
図５に示す懐中電灯１は、前記実施例２の構成において、屈曲作動部３’が１つの屈曲点を有する構成からなっており、照明部４の照明範囲は前記実施例に比べて制限されるが、照明部４の照明角度を変えることができる。
【００３０】
この場合にも、前記実施例のカバー体５’を設け、スライドすることで、屈曲作動部３’をロックするロック位置と使用位置とに切り替えることができる。
その他の構成は前記実施例と同様であるので同一構成には同一符号を付してその説明を省略する。
図示例では、図４の実施例と同様に基台部２内にカバー体を収納する構成としたが、図１の実施例と同様に基台部２の外側に外嵌させる構成であってもよいこと勿論である。
【実施例４】
【００３１】
図６の懐中電灯１は、実施例１の基台部２に伸縮アーム９を内蔵した異なる実施例を示す。
この実施例では、伸縮アーム９の先端の台盤部は鉄などの磁性金属からなる磁石部１１が設けられており、基台部２内に、後方に向かって前記伸縮アーム９を収縮することができるようになっている。
【００３２】
図７は、該伸縮アーム９の先端の磁石部１１が基台部２の基端部に設けられたストッパー１０によって固定された状態を示している。
上記磁石部１１が不必要に動かないよう、台部の左右に、一対の掛止突部１１ａが設けてあり、基台部２のストッパー１０に設けた受溝１０ａに嵌め込み、回転させることで磁石部１１を掛け止めている。
ここで、伸縮アーム９を伸ばしたいときは、前記掛止突部１１ａを逆回転してストッパー１０の受溝１０ａから外し、そのまま伸縮アーム９を引き出して伸ばすことができる。
【００３３】
前記図６は、基台部２に内蔵した伸縮アーム９を伸長した状態で、屈曲作動部３を用いて折り曲げて、先端の照明部４を後方に１８０°まで、照射角度を変更した状態を示している。
このように基台部２に伸縮アーム９を内蔵することで、先端に設けた磁石部１１を、用途に応じて固定式で使ったり、伸縮アーム９を利用して伸長すれば、マグネットハンドとして、狭い隙間や空間などに落としたビス等の磁性体からなる小部品を拾ったり、散逸した金属切粉などを拾って清掃することができる。
【００３４】
例えば、自動車や精密機器の修理や点検、また各種のメンテナンス作業で、通常はクリップライトや磁着ライトとして使用し、各種作業でネジや部品などを手が入らない隙間や薄暗い狭小空間などに落とした場合にはマグネットハンドとして使用できる。
更に照明の角度も自在に変更して照射できるので、薄暗い部所であっても、照明で自在に照らしながら、磁石部１１を伸ばして磁着させ拾うことができる。
【００３５】
［点検ミラー］
図９は照明部４に、着脱式の点検ミラー１３を設ける場合であって、照明部４の外面に、ミラーのアタッチメント部１４を着脱自在に取り付けるための取付部４２が形成されている。
点検ミラー１３は、アーム部１３ａの先端に取り付けられたミラー１３ｂと、伸縮アーム部１３ａの下部に一体に形成されて照明部４へ取り付けるためのアタッチメント部１４とからなっている。
【００３６】
ここで、アタッチメント部１４の内径は、照明部４の取付部４２の外径よりやや狭くなっており、バネ材の弾発力を利用して、点検ミラー１３を固定している。
照明部４への取付は、必要に応じて、アタッチメント部１４にボルトとナットを用いて通し、ネジを締めてはさんで固定してもよい。
【００３７】
また、アーム部１３ａは、１本のアームを用いてもよいが、図示例のように複数（例えば３）段の伸縮アームで構成すれば、奥行きのある深い部分でも、ミラーを伸ばして点検できる。
尚、ミラー１３ｂの反射（傾斜）角度は固定されているが、照明部４の基端側に備わった球体３３で照明部４の角度を選んで変えれば、同時に一体的にミラーの角度調整もできる。
【００３８】
このように、着脱式の点検ミラー１３を設けることにより、更に用途が広がり、各種作業に対応できる。
例えば、自動車やＦＡＸ・コピー機、精密機器の修理点検作業で、見にくい裏側や、細部狭隘な個所の機器の作動状態の検査や、修理、また部品番号を見たい時など、薄暗い部所であっても、即時に、照明付き点検ミラーとなり、照明を反射させて、照らして見られるので、目的とする部分の検査や、確認作業が楽に効率よく行える。
【実施例５】
【００３９】
実施例５の懐中電灯１は、図１０に示すように、カバー体５の使用位置乃至ロック位置でカバー体５が動かないように拘束する係止構造の他の実施例であって、カバー体５には係止構造を設けず、基台部２の先端の外面に、弾性部材を設けている。
図示例では、弾性部材として板バネなどのバネ材６ｃを基台部２のの外面に左右一対に設けており、該板バネ６ｃは外向きに付勢されており、内向きに反発可能に圧縮した状態でカバー体５が外嵌されるので、カバー体５の内面を常に押圧した状態となっている。
【００４０】
従って、カバー体５は、常時板バネ６ｃが衝合しているので、上記板バネ６ｃの外向きの付勢力に抗して基台部２上をスライドさせ、カバー体５を止めた位置で板バネ６ｃの弾性力により摺動しないように拘束される。
ここで弾性部材は板バネ６ｃに限らずゴムなどであってもよく、基台部２に取り付けられて外向きに付勢され、内向きに反発可能に圧縮した状態でカバー体５が外嵌されていればよい。
【００４１】
また、図１０の実施例では、照明部４は、前方が開放された筒状の電池収納部４Ａ内に複数（図示例では４つ）の小型電池４１が直列に収納されており、該電池収納部４Ａの先端には接続された発光保持部４Ｂが設けられている。
該発光保持部４Ｂは、白色ＬＥＤや豆電球からなる発光部４２を保持する供電部４３とからなっており、供電部４３は、小型電池４１と通電する一対の端子４４ａ、４４ｂを有している。
【００４２】
図示例では、一方の端子４４ａは、供電部４３の底面中央に設けられて小型電池４１の先端と接する端子と接続され、他方の端子４４ｂは、供電部４３の側面に突出して電池収納部４Ａの内壁面と接して通電するようになっている。
また、上記供電部４３の供電回路（図示せず）を開閉させるスイッチの一例として、図示例ではプッシュ式スイッチＳを設けている。
更に、図示例では第２アーム３４の端部に、前記電池収納部４Ａに着脱可能な蓋体４５が固着されており、該蓋体４５の外周には電池交換用にローレットが刻設されて滑り止めとなっている。
【００４３】
該蓋体４５の先端には小型電池４１の他方の電極と接続される端子が設けられており、電池収納部４Ａの内周壁を介して前記前記供電部４３の他方の端子４４ｂと接続される。
また、照明部４のライトカバーの先端には集光レンズ４６を設けることで、発光部４２の光が集光されて、強い光を照射することができる。
その他の構成は、前記実施例と同様であるので、同一符号を付してその説明を省略する。
【００４４】
第２アーム３４に取り付けられる照明部４の形状は、上記実施例に限定されるものではなく、例えば、図１１（ａ）では、発光保持部４Ｂのケーシングの先端側に沿って透孔を等間隔に配置した形状からなっており、図１１（ｂ）では、ケーシングが略半楕円形状からなっているが、この発明ではこれらの形状は特に限定されるものではなく、適宜デザインを設計変更することができる。
【００４５】
図１２（ａ）は、懐中電灯１の異なる使用例を示す側面図である。
基台部２の後方に設けた磁石部１１を使用すれば、車のボデー（例えば、ボンネットの裏やトランクルームの内側など）や、各種機械の鉄材などの磁性金属上に、懐中電灯１の磁石部１１を磁着して固定でき、照明部４の屈曲作動部３で全方向に照射できる。
【００４６】
これにより車や機械の整備や点検、また、各種のメンテナンス作業も、懐中電灯１を持つことなく、両手を使って行うことができる。
また、図示しないが他の使用例として、車の整備などで足回りや下回りの各部を照らして作業する時など、近くの工具（モンキーなど）を地面に置いて、磁石部１１を使って前記工具に磁着すれば、全方位に照射できるので、薄暗い手元を確実に照らし、両手で作業ができる。
【００４７】
更に、図７に示すように、基台部２に、伸縮アーム９を内蔵した場合は、後部の磁石部１１を変位させることができる（図６参照）ので、例えば、車のボンネット裏に、下向きにした懐中電灯１を磁石部１１を介して磁着すれば、エンジン回りの点検時などで、伸縮アーム９を下方向に伸ばすことで、照明部４の位置も下方向に伸ばせ、照射角度も自在に変更でき、また照射目的個所に合わせてピンポイント照明も可能となる。
【００４８】
また、オートキャンプや登山などの照明具として使うとき、例えば、缶詰やジュース缶を地面やテーブルに置いて、図１２（ｂ）で示すように磁石部１１で懐中電灯１を固定すれば、自在に照射角度を変えることができ、スポット照明や、ミニランタンとして、アウトドアで、多目的に使用することもできる。
更に、図３に示したように、この実施例でも、カバー体５に設けたクリップ８の使用例として、懐中電灯１をポケットＰに掛け止めることができるので、照射角度を自在に変えることで、メモ用ライトや作業での手元照明具として使用するとき、クリップ８で固定されるので、両手を自由に使うことができる。
【００４９】
また、上記クリップ８を使用して、作業者の帽子の鍔に掛け止めれば、照射角度を自在に変えられるヘッドライトとして使用することができ、各種のドライバー作業やハンドツール作業、各種メンテナンス作業が、照明対象部を確実に照らしながら、両手で作業が行える。
その他、アウトドアでの使用の一例として、夜間のウォーキングや夜釣りや、山登りで、胸ポケットや帽子の鍔にクリップ８を介して懐中電灯１を固定することで、照射角度を自在に選べ、手元灯や足元灯また防犯照明として、多用途に使用できる。これら使用例は実施例１の懐中電灯１であっても同様である。
【実施例６】
【００５０】
図１３は、懐中電灯１の磁石部１１に、タイヤ溝測定ゲージ５１を設けた場合の異なる実施例６を示している。
図１３（ａ）では、図１の懐中電灯１の基台部２に設けた磁石部１１の外壁面に、径方向の一方（図示せず）、または双方に突出するタイヤ測定ゲージ５１を設けた一例を示している。
図１３（ｂ）は、図６または図７の懐中電灯の伸縮アーム９の下端に設けた磁石部１１の外壁面に、径方向の一方（図示せず）、または双方に突出するストッパー用の掛止突部１１ａの上にやや狭く段差を介してタイヤ測定ゲージ部５１が一連に形成されている。
上記実施例でタイヤ測定ゲージ部５１は伸縮アーム９の下端の磁石部１１に形成したが、伸縮アームの下端の台盤部は非磁性素材で形成されていてもよく、その場合は磁石部に替えて、磁石部と同形状の伸縮アームの下端の台盤部にタイヤ測定ゲージ部５１が形成される。以下の実施例でも同様である。
【００５１】
ここで、ストッパー用の掛止突部１１ａとタイヤ測定ゲージ部５１とを分けたが、両者を一体としてストッパー用の掛止突部１１ａを測定ゲージとして使用可能な寸法として兼用するものであってもよい。
図１３（ｃ）は、同伸縮アーム９を延ばした際の側面図である。
【００５２】
図１３（ｄ）は、図１３（ｂ）と同様に懐中電灯１の伸縮アーム９の下端に設けた磁石部１１にストッパー用の掛止突部１１ａを突出し、該掛止突部１１ａ上で同軸線上にタイヤ測定ゲージ部５１が一体形成されており、該タイヤ測定ゲージ部５１の先を所望の色彩（たとえば赤色や黄色）に着色し識別しやすくして、タイヤ溝の深さを測れるように設けられている。
【００５３】
図１３（ｅ）は、懐中電灯１の基台部２に設けた磁石部１１の外壁面の一方に、タイヤ測定ゲージ部５１が折り畳み自在に設けられている。
即ち、磁石部１１の外壁面に一対のブラケット５１ｂが突設され、該ブラケット５１ｂにタイヤ測定ゲージ部５１が折畳自在に枢着されており、不使用時には折畳み、使用時には直立に展開して用いる。
【００５４】
上記各実施例で例示されているタイヤ溝測定ゲージ５１は、道路運送車両法の保安基準に定まる四輪のタイヤ溝の深さが１．６ミリ以上あるか、目で見て即時にはかれるように、たとえばゲージ５１の長さを２ミリとすれば、ゲージ５１をタイヤの溝に差し込んだとき、該溝内に嵌め込まれ、または立ち上がるゲージ５１の長さでタイヤの残り溝を即時に判断できる。
【００５５】
尚、上記各実施例で、例示しているタイヤ溝測定ゲージ５１は、四輪車のタイヤ溝を測る場合を図示しているが、二輪車の車検時などで、保安基準に定まるタイヤ溝も測れるようにしてもよい。
例えば、図１４（ａ）に示すようにタイヤ溝測定ゲージ５１が２段階となるよう段差を形成し、あるいは図１４（ｂ）に示すように異なった２つの色に着色して、浅い方５１Ａが二輪車タイヤ溝用とし、深い方５１Ｂが四輪車タイヤ溝用として識別できるようにしてもよい。
【００５６】
二輪車の車検時など、保安基準に定まるタイヤ溝の深さは０．８ミリ以上あるか目で見て確認できるように、二輪車用のタイヤ溝用のゲージ部分を、たとえば１ミリに設定し、四輪車用のタイヤ溝用のゲージ部分を１ミリ（全体で２ミリ）に設定しておけば、いずれのタイヤ溝の摩耗状態を即時に判断できるが、更に必要に応じて０．８ミリから１．６ミリまでの目盛りを設けてもよい。
【００５７】
このように、懐中電灯１にタイヤ溝測定ゲージ５１を設けることにより、例えば自動車やオートバイの整備や点検時にタイヤの溝が保安基準以上の深さがあるか、タイヤハウス内でも即時に測ることができる。
また、図６や図７に例示した伸縮アーム９を有する懐中電灯１の磁石部１１に前記測定ゲージ５１を設けた場合は、トラックなど奥行きのあるタイヤの溝部も伸縮アーム９を延ばすことで簡単に測ることができる。
また、溝部分が薄暗くて見えないときは、先端の照明部４を１８０°後方に折り曲げて照射できるので、ライト付のタイヤ溝測定ゲージとして使用することもでき、用途範囲が更に広がる。
【００５８】
ここで、実施例１の懐中電灯１に測定ゲージ５１を設ける場合には、使用者の着衣のポケットに差して携帯するときなど、測定ゲージ５１の突部がじゃまにならないように、例えば図１３（ｅ）に示す折畳式のゲージ部５１を用いることで、使用するときだけ９０°に立てて使い、未使用時は折りたためるのでコンパクトに取り扱うことができる。
【００５９】
他の用途として、ガソリンスタンドなどで作業者がポケットに懐中電灯１を差してあれば、チェックライトとしてタイヤの摩耗状態が点検でき、タイヤトラブルやスリップ事故の予防ができる。
同様に、タクシー会社や運送会社、マイカーなどでの測定ゲージ付懐中電灯として多目的に使用することができる。
【００６０】
上記実施例では電源として照明部に収納した小型電池を例示したが、基台部に電池を収納する構成としてもよい。電池は、小型電池でも、乾電池であってもよい。
この場合、電池と発光部との間を配線等の接続回路で接続する。
接続回路としては、両極を配線で接続するもの、一方を配線とし、他方を屈曲部などの通電性を有する素材を利用するものであってもよい。
【００６１】
そして、前記接続回路を開閉するスイッチ部を設けるが、このスイッチ部は基台部に配置してもよい。
また、この発明では上記各実施例に記載した構成は、相互に組み合わせてもよい。
また使用例は、各実施例に限定されるものではなく、同様の構成を有する他の全ての実施例において使用することができる。
その他、要するにこの発明の要旨を変更しない範囲で種々設計変更しうること勿論である。
【図面の簡単な説明】
【００６２】
【図１】照明角度を変位可能な懐中電灯の実施例１の側面図である。
【図２】図１の屈曲作動部を拡大した断面図である。
【図３】図１の懐中電灯をポケットに入れて使用する場合の説明図である。
【図４】照明角度を変位可能な懐中電灯の実施例２の側面図である。
【図５】屈曲作動部の異なる懐中電灯の実施例３の側面図である。
【図６】伸縮アームを有する懐中電灯の実施例４の側面図である。
【図７】図６の伸縮アームを基台部内に収納して短縮した状態の部分側面図である。
【図８】図６の掛止突部を示す磁石部の底面図である
【図９】点検ミラーを装着する実施例５の要部の分解斜視図である。
【図１０】実施例６の懐中電灯の側面図である。
【図１１】（ａ）は照明部の異なる形状を示す側面図、（ｂ）は照明部の別の形状を示す側面図である。
【図１２】（ａ）は、上部に固定した使用例を示す側面図、（ｂ）は下部に固定した使用例を示す側面図である。
【図１３】（ａ）は基台部にタイヤ溝測定ゲージを設けた場合の底面図、（ｂ）は磁石部にタイヤ溝測定ゲージを設けた場合の底面図、（ｃ）は同側面図、（ｄ）は（ｂ）とは異なる形状のタイヤ溝測定ゲージを設けた場合の底面図、（ｅ）は折畳式のタイヤ溝測定ゲージを設けた場合の底面図である。
【図１４】２輪車用と４輪車用のタイヤ溝測定ゲージを一体に形成した場合の拡大図であり、（ａ）は大きさを異にした場合、（ｂ）は着色を異にした場合の図である。
【図１５】（ａ）は屈曲作動部に可撓性部材の一例として示すフレキシブルアームを用いた場合の側面図、（ｂ）は基台部を電池収納部とした場合の側面図である。
【符号の説明】
【００６３】
１    懐中電灯
２    基台部
３    屈曲作動部
４    照明部
４Ａ    電池収納部
４Ｂ    発光保持部
５    カバー体
８    クリップ
９    伸縮アーム
１０    ストッパー
１１    磁石部
１３    点検ミラー
２１    受溝
３１    第１アーム
３２、３３    球体
３４    第２アーム
３５    ジョイントプレート
３６    固定具
３７、３８  球面軸受部
４１    小型電池
４２    発光部
５１    タイヤ溝測定ゲージ
【図１】
2006190661.tif 000003
【図２】
2006190661.tif 000004
【図３】
2006190661.tif 000005
【図４】
2006190661.tif 000006
【図５】
2006190661.tif 000007
【図６】
2006190661.tif 000008
【図７】
2006190661.tif 000009
【図８】
2006190661.tif 000010
【図９】
2006190661.tif 000011
【図１０】
2006190661.tif 000012
【図１１】
2006190661.tif 000013
【図１２】
2006190661.tif 000014
【図１３】
2006190661.tif 000015
【図１４】
2006190661.tif 000016
【図１５】
2006190661.tif 000017